(57)【要約】【課題】  キートップからの押圧力を板ばねに確実に伝達でき、レイアウト自由度の向上が可能なスイッチ用接点板及びこれを用いた押釦スイッチを提供する。【解決手段】  金属薄板からなり反転可能なドーム部２ａを有する板ばね２と、板ばね２のドーム部２ａの頂部に対応させて板ばね２の上面側に形成された押圧力伝達用の突部４とを備え、突部４を、突部４よりも大きくて板ばね２よりも小さい外形を持つ粘着剤付きシート３の上面側に形成し、粘着剤付きシート３の粘着剤により突部４を板ばね２上に貼り付けた構成とした。【選択図】        図２
2006164552.tif 000002
【特許請求の範囲】
【請求項１】
金属薄板からなり反転可能なドーム部を有する板ばねと、この板ばねのドーム部の頂部に対応させて前記板ばねの上面側に形成された押圧力伝達用の突部とを備え、前記突部を、該突部よりも大きくて前記板ばねよりも小さい外形を持つ粘着剤付きシートの上面側に形成し、前記粘着剤付きシートの粘着剤により前記突部を前記板ばね上に貼り付けたことを特徴とするスイッチ用接点板。
【請求項２】
前記突部を、固着面から先端側に向かって先細状に形成したことを特徴とする請求項１記載のスイッチ用接点板。
【請求項３】
請求項１、又は２記載のスイッチ用接点板と、可撓性を有し上下に貫通する挿通孔を介して上面側に前記突部が突出され下面側に前記スイッチ用接点板が貼り付けられた絶縁シートと、固定接点が設けられ該固定接点上に前記スイッチ用接点板が載置された状態で前記絶縁シートが積層される回路基板とを備えたことを特徴とする押釦スイッチ。
【請求項４】
請求項１、又は２記載のスイッチ用接点板と、収納部を有しこの収納部の内底面に固定接点が配設されたハウジングと、このハウジングの上面側に設けられ、前記収納部に収納された前記スイッチ用接点板を前記固定接点に対向させて保持する保持手段とを備えたことを特徴とする押釦スイッチ。
【請求項５】
前記保持手段を、前記ハウジングの上面側に嵌着される金属フレームで形成し、この金属フレームに前記スイッチ用接点板の突部を突出する挿通孔を設け、この挿通孔の下面周縁部と前記粘着材付きシートの上面部とを対向させて配置したことを特徴とする請求項４記載の押釦スイッチ。
【発明の詳細な説明】
【技術分野】
【０００１】
本発明は、押圧操作によって接点の切り換えを行なうスイッチ用接点板及びこれを用いた押釦スイッチに関する。
【背景技術】
【０００２】
従来のスイッチ用接点板を用いた押釦スイッチの構造としては、固定接点を有する回路基板上に設けられた上部シートの上面に、固定接点と対向して載置された可動接点に対応する位置に突起を形成し、この突起を介してキートップからの押圧力を可動接点に伝達するようにした構成のものが知られている（例えば、特許文献１参照）。
この従来のスイッチ用接点板用いた押釦スイッチの構造を図６に示す。図６は従来のスイッチ用接点板を用いた押釦スイッチの断面図であり、同図において、押釦スイッチは、下部基板３１と、下面にタクトばね３２が接着された上部シート３３と、タクトばね３２を駆動するためのキートップ３４とによって概略構成されている。
【０００３】
下部基板３１の表面には光源としてのＬＥＤ３５が実装されると共に、中央固定接点３６とそれを包囲する周縁固定接点３７が設けられている。実施例では中央固定接点３６と周縁固定接点３７の対がマトリクス状に複数配列されている。
【０００４】
タクトばね３２は可動接点として機能するもので、リン青銅等の金属ばね材料を円椀状にフォーミングして形成されている。タクトばね３２の周縁部は周縁固定接点３７に常時接触しているが、その頂部は中央固定接点３６と所定間隔を存して離間している。タクトばね３２の頂部は上部シート３３の下面に接着されており、実施例では中央固定接点３６と周縁固定接点３７の配列に合わせて複数のタクトばね３２が上部シート３３の下面にマトリクス状に配設されている。
【０００５】
上部シート３３はＰＥＴフィルム等の材料からなり、その上面に突起３８が形成されている。この突起３８の形成位置は上部シート３３の下面に接着されたタクトばね３２の頂部に対応しており、実施例では複数の突起３８が上部シート３３の上面にマトリクス状に形成されている。これら突起３８は例えばウレタン系樹脂を上部シート３３の上面に印刷することによって形成されている。また、上部シート３３の周縁部と下部基板３１は接着剤等を用いて枠体３９に一体化されており、これら各部材でスイッチユニット部が構成されている。
【０００６】
キートップ３４はアクリル樹脂等で成形されている。キートップ３４の上部は外装ケース４０のガイド孔４０ａから突出しており、外装ケース４０はねじ止めや接着剤等を用いて枠体３９に固定されている。キートップ３４の底面は上部シート３３の突起３８に対向しており、したがって、実施例では複数のキートップ３４が外装ケース４０にマトリクス状に配列されている。
【０００７】
上記押釦スイッチは、キートップ３４が押圧されると、その押圧力が突起３８と上部シート３３を介して下方のタクトばね３２の頂部に伝達されるため、タクトばね３２が反転し、頂部が中央固定接点３６に接触してスイッチオン状態となる。その際、各部材の寸法誤差や組立誤差等で各キートップ３４とスイッチユニット部の相対位置が多少ずれたとしても、突起３８と上部シート３３を介してタクトばね３２が押圧されるため、タクトばね３２の動作フィーリングが悪化することはない。
【０００８】
【特許文献１】特開平１１−７８６２号公報
【発明の開示】
【発明が解決しようとする課題】
【０００９】
しかしながら、上述した従来のスイッチ用接点板及びこれを用いた押釦スイッチにおいては、可動接点であるタクトばね３２の配置に合わせて上部シート３３の上面に突起３８を形成するため、多様なレイアウトに対応するのが難しく、安価にできないという問題があった。
【００１０】
従って、本発明は上記した問題点を解決し、キートップからの押圧力を板ばねに確実に伝達でき、レイアウト自由度の向上が可能なスイッチ用接点板及びこれを用いた押釦スイッチを提供することを目的とする。
【課題を解決するための手段】
【００１１】
上記課題を解決するために本発明では第１の解決手段として、金属薄板からなり反転可能なドーム部を有する板ばねと、この板ばねのドーム部の頂部に対応させて前記板ばねの上面側に形成された押圧力伝達用の突部とを備え、前記突部を、該突部よりも大きくて前記板ばねよりも小さい外形を持つ粘着剤付きシートの上面側に形成し、前記粘着剤付きシートの粘着剤により前記突部を前記板ばね上に貼り付けた構成とした。
また、第２の解決手段として、前記突部を、固着面から先端側に向かって先細状に形成した構成とした。
【００１２】
また、第３の解決手段として、第１、又は第２の解決手段に記載のスイッチ用接点板と、可撓性を有し上下に貫通する挿通孔を介して上面側に前記突部が突出され下面側に前記スイッチ用接点板が貼り付けられた絶縁シートと、固定接点が設けられ該固定接点上に前記スイッチ用接点板が載置された状態で前記絶縁シートが積層される回路基板とを備えた構成とした。
また、第４の解決手段として、第１、又は第２の解決手段に記載のスイッチ用接点板と、収納部を有しこの収納部の内底面に固定接点が配設されたハウジングと、このハウジングの上面側に設けられ、前記収納部に収納された前記スイッチ用接点板を前記固定接点に対向させて保持する保持手段とを備えた構成とした。
また、第５の解決手段として、前記保持手段を、前記ハウジングの上面側に嵌着される金属フレームで形成し、この金属フレームに前記スイッチ用接点板の突部を突出する挿通孔を設け、この挿通孔の下面周縁部と前記粘着材付きシートの上面部とを対向させて配置した構成とした。
【発明の効果】
【００１３】
上述したように、本発明のスイッチ用接点板は、金属薄板からなり反転可能なドーム部を有する板ばねと、板ばねのドーム部の頂部に対応させて板ばねの上面側に形成された押圧力伝達用の突部とを備え、突部を、突部よりも大きくて板ばねよりも小さい外形を持つ粘着剤付きシートの上面側に形成し、粘着剤付きシートの粘着剤により突部を板ばね上に貼り付けた構成としたことから、スイッチ用接点板となる板ばねのドーム部の頂部に合わせて、板ばねの上面側に突部を有する粘着剤付きシートを後付けで形成できるので、レイアウトの自由度が向上すると共に、容易に製造できる。また、粘着剤付きシートの外形を、板ばねの外形よりも小さくしたことから、押圧された際に板ばねの反転動作を阻害せずに良好なクリック感が得られる。
また、突部を、固着面から先端側に向かって先細状に形成したことから、突部に当接される押圧用のキートップが傾いても突部のセンターで押せるので、板ばねの頂部への押圧力伝達を確実に行なうことができる。
【００１４】
また、本発明の押釦スイッチは、第１、又は第２の解決手段に記載のスイッチ用接点板と、可撓性を有し上下に貫通する挿通孔を介して上面側に突部が突出され下面側にスイッチ用接点板が貼り付けられた絶縁シートと、固定接点が設けられ固定接点上にスイッチ用接点板が載置された状態で絶縁シートが積層される回路基板とを備えた構成としたことから、多様なレイアウトに容易に対応できるスイッチ用接点板を備えた押釦スイッチを安価に提供できる。
また、第１、又は第２の解決手段に記載のスイッチ用接点板と、収納部を有し収納部の内底面に固定接点が配設されたハウジングと、ハウジングの上面側に設けられ、収納部に収納されたスイッチ用接点板を固定接点に対向させて保持する保持手段とを備えた構成としたことから、押圧用のキートップの板ばねの頂部への押圧力伝達を確実に行なうことができる押釦スイッチを容易に提供できる。
また、保持手段を、ハウジングの上面側に嵌着される金属フレームで形成し、金属フレームにスイッチ用接点板の突部を突出する挿通孔を設け、挿通孔の下面周縁部と粘着材付きシートの上面部とを対向させて配置した構成としたことから、金属フレームとスイッチ用接点板との短絡を防止でき、収納部を覆うことができるので固定接点やスイッチ用接点板を外部の塵埃などから保護することができる。
【発明を実施するための最良の形態】
【００１５】
以下、本発明の実施の形態を図１乃至図５に示す。図１は本発明の実施例に係るスイッチ用接点板を示すフープ状態の平面図、図２は本発明のスイッチ用接点板を用いたコンタクトシートを示す断面図、図３は本発明のスイッチ用接点板を用いたシート状の押釦スイッチ示す断面図、図４は本発明のスイッチ用接点板を用いた単キーの押釦スイッチを示す断面図、図５は本発明のスイッチ用接点板を用いた単キーの押釦スイッチの他の実施例を示す断面図である。
【００１６】
図１及び図２において、本発明のスイッチ用接点板１は、例えば円形状の導電性の金属薄板からなり、中央に反転可能なドーム部２ａを有し、可動接点としての機能を備えている板ばね２と、前記板ばね２の前記ドーム部２ａの頂部に対応して、前記板ばね２の上面側に貼り付けられた、可撓性を有する合成樹脂等の絶縁材でシート状に形成され、下面に粘着剤が一面に塗布された粘着剤付きシート３とで構成されている。
【００１７】
この粘着剤付きシート３は、外形が、前記板ばね２よりも小さく形成されている。この場合の外形形状は、前記板ばね２の外形より小さければ円形でも矩形状でも多角形でも良い。尚、本実施例では、外形形状は前記板ばね２に合わせて円形状に形成されている。このように、前記粘着剤付きシート３の外形の大きさが、前記板ばね２の外形よりも小さく形成されているので、前記板ばね２が押圧された際には、前記板ばね２のドーム部２ａの反転動作を阻害せずに良好なクリック感が得られるものとなっている。
【００１８】
前記粘着剤付きシート３の上面側には、前記板ばね２の前記ドーム部２ａの頂部に対応した位置に、図示しないキートップ等の下面と当接して押圧される、押圧力伝達用の突部４が設けられている。この突部４は、例えばウレタン等からなる合成樹脂や接着剤等の樹脂材を接着することにより固着形成されるもので、この場合、前記突部４の形状は、固着面が前記粘着剤付きシート３の外形よりも小さくて、前記粘着剤付きシート３の上面の固着面から先端側に向かって先細状に形成されている。このため、図示しないキートップが傾いて押圧された場合においても、前記突部４の略センター位置で押せることになるので、前記板ばね２の頂部への押圧力伝達を確実に行なうことができるものとなっている。
【００１９】
また、前記粘着剤付きシート３を、透光性を有するシートで形成するようにしても良い。このように、透光性シートで前記粘着剤付きシート３を形成することにより、前記突部４を、前記粘着剤付きシート３の上面に、ＵＶ（紫外線）硬化型の接着剤を使用してＵＶ接着することが可能となる。この場合には、前記粘着剤付きシート３に前記突部４を、ＵＶ（紫外線）を用いて容易に確実に接着することができるものとなる。
【００２０】
また、図示はしないが、前記粘着剤付きシート３にプレス等でエンボス加工を施すことにより、前記突部４を前記粘着剤付きシート３に一体的に成形加工することもできる。この場合には、合成樹脂や接着剤等の樹脂材を接着することにより前記粘着剤付きシート３に前記突部４を固着形成する必要がないので、製造工程が簡易となり、安価対応が可能となる。
【００２１】
尚、図１に示すのは、上記スイッチ用接点板１を帯状の金属板からなるフープ材５に複数個連設した状態を示している。この場合、スイッチ用接点板１は外周縁部の両側が一対の繋ぎ桟５ａでフープ材５に連結されたものとなっている。スイッチ用接点板１を製造する場合には、まず帯状のフープ材５にプレスなどの方法で繋ぎ桟５ａに連結した複数の円形からなる板ばね２を形成する。この場合、フープ材５をガイド穴５ｂでガイドして順次送ることで連続加工が可能となっている。次に、板ばね２の上面側に同じく順次送ることで突部４が設けられた粘着剤付きシート３を順次貼り付け、最後に両側の繋ぎ桟５ａを切断することにより個々のスイッチ用接点板１が形成されるものとなる。
【００２２】
このように、本発明のスイッチ用接点板１は、金属薄板からなり反転可能なドーム部２ａを有する前記板ばね２と、この板ばね２のドーム部２ａの頂部に対応させて該板ばね２の上面側に形成された押圧力伝達用の前記突部４とを備えており、前記突部４を、該突部４よりも大きくて前記板ばね２よりも小さい外形を持つ前記粘着剤付きシート３の上面側に形成し、前記粘着剤付きシート３の粘着剤により前記突部４を前記板ばね２上に貼り付けた構成としたことから、スイッチ用接点板１となる前記板ばね２のドーム部２ａの頂部に合わせて、前記板ばね２の上面側に前記突部４を有する前記粘着剤付きシート３を後付けで形成できるので、容易に製造できると共に、レイアウトの自由度が向上するものとなる。
【００２３】
図２は、上記スイッチ用接点板１を用いたコンタクトシートを示している。絶縁シート６は、可撓性を有する合成樹脂等の絶縁材で、例えば矩形状のシート状に形成されており、適宜位置に上下に貫通した複数の挿通孔６ａが設けられ、その下面には粘着剤が一面に塗布されている。そして、前記挿通孔６ａに前記スイッチ用接点板１の上面側に貼着された粘着剤付きシート３の突部４が挿通され、該突部４が絶縁シート６の上面側に突出された状態で、前記絶縁シート６の下面側に、前記スイッチ用接点板１が粘着剤によって貼り付けられている。
【００２４】
また、前記絶縁シート６の下面側には、合成樹脂等の絶縁材でシート状に形成されたスペーサシート７が、前記絶縁シート６の下面側に塗布された粘着剤によって貼り付けられている。このスペーサシート７には、上下に貫通した円形の収容孔７ａが設けられており、この収容孔７ａには前記絶縁シート６の下面に貼り付けられた前記スイッチ用接点板１の板ばね２が収容されている。そして、前記絶縁シート６、前記板ばね２、前記粘着剤付きシート３（前記突部４含む）、前記スペーサシート７によりコンタクトシートが構成されている。
【００２５】
また、前記スペーサシート７の下面側には、前記収容孔７ａを除く一面に粘着剤が塗布されている。そして、前記スペーサシート７の下面側には、搬送時等に、コンタクトシートの下面側に貼り付けられて前記板ばね２を保護すると共に、組立時に、位置決めや送りなどに使用された後、剥離される、剥離シートを構成する送りシート８とカバーシート９が貼り付けられている。
【００２６】
図３は、上記スイッチ用接点板１を用いたシート状の押釦スイッチを示している。本発明では、図３に示すように、絶縁シート６に貼着されたスイッチ用接点板１が、中央固定接点１０ａ及び周辺固定接点１０ｂを有する固定接点１０が設けられた回路基板１１上に載置され、絶縁シート６の下面側に貼着されたスペーサシート７の下面側の粘着剤によりコンタクトシートが回路基板１１上に積層されることにより、押釦スイッチが構成されるものとなっている。そして、図示しない電子機器等のキートップが押圧された際には、前記絶縁シート６の上面側に突出された、前記粘着剤付きシート３の前記突部４が、キートップの下面によって押し下げられることにより、前記板ばね２のドーム部２ａが下方に反転し、前記固定接点１０の中央固定接点１０ａと周辺固定接点１０ｂが前記板ばね２を介して導通し、スイッチがオン状態となる。
【００２７】
このように、本発明の押釦スイッチは、前記スイッチ用接点板１と、可撓性を有し上下に貫通する複数の前記挿通孔６ａを有すると共に、この挿通孔６ａの上面側に前記突部４が突出されて下面側に前記板ばね２が保持されるように前記スイッチ用接点板１が貼り付けられた前記絶縁シート６と、前記固定接点１０が設けられ該固定接点１０上に前記スイッチ用接点板１が載置された状態で前記絶縁シート６が積層される前記回路基板１１とを備えた構成としたことから、多様なレイアウトに容易に対応できる複数のスイッチ用接点板を備えた押釦スイッチを安価に提供できるものとなっている。
【００２８】
図４は、上記スイッチ用接点板１を用いた単キーの押釦スイッチを示している。本発明では、図４に示すように、単一のスイッチ用接点板１が、中央固定接点１２ａ及び周辺固定接点１２ｂを有する固定接点１２が収納部１３ａの内底面に配設されたハウジング１３の収納部１３ａに載置され、このハウジング１３の上面側に設けられ、前記収納部１３ａに収納された前記スイッチ用接点板１を前記固定接点１２に対向させて保持する保持手段とから、押釦スイッチが構成されるものとなっている。この場合の保持手段としては、前記ハウジング１３の上面側の周壁１３ｂを前記収納部１３ａ側へ押し潰すことにより前記スイッチ用接点板１の板ばね２の外周縁部を挟持してハウジング１３にスイッチ用接点板１を保持するものとなっている。
【００２９】
そして、図示しない電子機器等のキートップが押圧された際には、前記スイッチ用接点板１の上面側に貼着された、前記粘着剤付きシート３の前記突部４が、キートップの下面によって押し下げられることにより、前記板ばね２のドーム部２ａが下方に反転し、前記固定接点１２の中央固定接点１２ａと周辺固定接点１２ｂが前記板ばね２を介して導通し、スイッチがオン状態となる。
【００３０】
このように、本発明の押釦スイッチは、前記スイッチ用接点板１と、前記収納部１３ａを有し該収納部１３ａの内底面に前記固定接点１２が配設された前記ハウジング１３と、このハウジング１３の上面側に設けられ、前記収納部１３ａに収納された前記スイッチ用接点板１を前記固定接点１２に対向させて保持する前記保持手段である内側へ押し潰された前記周壁１３ｂ部とを備えた構成としたことから、押圧用のキートップの前記板ばね２の頂部への押圧力伝達を確実に行なうことができる押釦スイッチを容易に提供できるものとなっている。また、前記ハウジング１３の周壁１３ｂを内側へ押し潰すことで前記スイッチ用接点板１を収納部１３ａに保持することができるので、構成が簡易となり、安価化が可能となる。
【００３１】
図５は、上記スイッチ用接点板１を用いた単キーの押釦スイッチの他の実施例を示している。本発明では、図５に示すように、ハウジング１５の収納部１５ａに収納された前記スイッチ用接点板１を固定接点１４に対向させて保持する保持手段を、ハウジング１５の上面側に嵌着される金属フレーム１６で形成し、この金属フレーム１６に前記スイッチ用接点板１の板ばね２の上面側に設けられた前記突部４を突出する挿通孔１６ａを設け、この挿通孔１６ａの下面周縁部と前記板ばね２の上面側に貼着された前記粘着材付きシート３の上面部とを対向させて配置することにより、押釦スイッチが構成されるものとなっている。
【００３２】
そして、同じように、図示しない電子機器等のキートップが押圧された際には、前記スイッチ用接点板１の上面側に貼着された、前記粘着剤付きシート３の前記突部４が、キートップの下面によって押し下げられることにより、前記板ばね２のドーム部２ａが下方に反転し、前記固定接点１４の中央固定接点１４ａと周辺固定接点１４ｂが前記板ばね２を介して導通し、スイッチがオン状態となる。
【００３３】
このように、保持手段を、前記ハウジング１５の上面側に嵌着される前記金属フレーム１６で形成し、この金属フレーム１６に前記スイッチ用接点板１の突部４を突出する前記挿通孔１６ａを設け、この挿通孔１６ａの下面周縁部と前記板ばね２の上面側に貼着された前記粘着材付きシート３の上面部とを対向させて配置した構成としたことから、押圧用のキートップの前記板ばね２の頂部への押圧力伝達を確実に行なうことができる押釦スイッチを容易に提供できると共に、前記金属フレーム１６と前記スイッチ用接点板１との短絡を防止でき、前記収納部１５ａを覆うことができるので前記固定接点１４や前記スイッチ用接点板１を外部の塵埃などから保護することができるものとなっている。
【図面の簡単な説明】
【００３４】
【図１】本発明の実施例に係るスイッチ用接点板を示すフープ状態の平面図である。
【図２】本発明のスイッチ用接点板を用いたコンタクトシートを示す断面図である。
【図３】本発明のスイッチ用接点板を用いたシート状の押釦スイッチ示す断面図である。
【図４】本発明のスイッチ用接点板を用いた単キーの押釦スイッチを示す断面図である。
【図５】本発明のスイッチ用接点板を用いた単キーの押釦スイッチの他の実施例を示す断面図である。
【図６】従来のスイッチ用接点板を用いた押釦スイッチを示す断面図である。
【符号の説明】
【００３５】
１：スイッチ用接点板
２：板ばね
２ａ：ドーム部
３：粘着剤付きシート
４：突部
５：フープ材
５ａ：繋ぎ桟
５ｂ：ガイド穴
６：絶縁シート
６ａ：挿通孔
７：スペーサシート
７ａ：収容孔
８：送りシート
９：カバーシート
１０：固定接点
１０ａ：中央固定接点
１０ｂ：周辺固定接点
１１：回路基板
１２：固定接点
１２ａ：中央固定接点
１２ｂ：周辺固定接点
１３：ハウジング
１３ａ：収納部
１３ｂ：周壁（保持手段）
１４：固定接点
１４ａ：中央固定接点
１４ｂ：周辺固定接点
１５：ハウジング
１５ａ：収納部
１６：金属フレーム（保持手段）
１６ａ：挿通孔
【図１】
2006164552.tif 000003
【図２】
2006164552.tif 000004
【図３】
2006164552.tif 000005
【図４】
2006164552.tif 000006
【図５】
2006164552.tif 000007
【図６】
2006164552.tif 000008